(57)【要約】【課題】    現在の、ペットブームに対して、２匹以上の犬を飼っている人が増えている中、  ２匹の犬を一緒にお散歩などに連れて行くときに、２匹まとめてつなぐ良いリードがないことである。そのため、何本も、リードが必要になったり、１匹１匹のリードを結んでつないだり、２匹を一人の人が引く力はたいへんなことであり、そして、開発したのが、らくらくお散歩２匹引きリードである。【解決手段】  本発明は、２匹一緒にお散歩するときに、一本のリードで済むように開発したものである。そして、犬の動きを利用して、お散歩する人の２匹を引く力を少なくした、らくらく、お散歩２匹引きリードである。【選択図】図１
2007130005.tif 000002
【特許請求の範囲】
【請求項１】
らくらくお散歩２匹引きリード。
２匹の犬をお散歩させる時に、一本の長いリードに両側へ１匹用の首輪につなぐ回転できる金具か固定の金具を取り付けた、らくらくお散歩２匹引きリード。
【請求項２】
長いリードの中心より左右に１０ｃｍから２ｍの範囲に、固定したストッパーを付け、ストッパーとストッパーの間を動くように、手で持つ部分を通す、そして、その手に持つ部分は、回転し、取り外しまたは取り外しができない金具をつける、らくらくお散歩２匹引きリード。
【請求項３】
小型犬、中型犬、大型犬、と一本のリードの長さと太さは違いますが、それぞれの長いリードを２匹まとめて短く持つときの為に、一本のリードの両側に１０ｃｍから２ｍの範囲のところに、手を入れて、握って持つ部分をとりつけた、らくらくお散歩２匹引きリード。
【請求項４】
小型犬、中型犬、大型犬、と一本のリードの長さと太さは違いますが、１０ｃｍから２ｍのリードの両端に回転し、取り外しができる、金具を取り付ける、その長さを動くように、回転し、取り外しまたは、取り外しができない金具をつけた手に持つ部分をリードに通す、らくらくお散歩２匹引きリード。
【発明の詳細な説明】
【技術分野】
【０００１】  本発明は、現在、よく飼われている犬や猫等の散歩をするときや、庭や、家の中で犬や猫を繋いでおく時に使用するものである。
この発明は、２匹の犬や猫を繋ぐ時に犬や猫が動き回ってもリードが首や体に巻きつく事はなく、２匹の犬や猫同士がリードで絡んで身動きが出来なくなってしまう、という事がない、犬、猫用の、２匹つないでも絡まないらくらくリード、に関する物である。【０００２】  本発明は、ペットとして飼われている犬や、猫用の、２匹用のリードで、お散歩や、庭でつないでいるとき、または、室内でつないでいるときに、２匹を、一本のリードの端と、端に、首輪をつけてつなぐ、その中心に、手で持つ部分を付ける。付けた中心から、１０ｃｍから６０ｃｍ一本のリードの両側に、手で持つ部分がそれ以上いかないように、ストッパーになるようなものを付ける、手で持つ部分は回転できるようにくるくる回る金具を付ける、これで、犬や猫、２匹を一本のリードでながい時間つないでいても、絡まって身動きできなくなってしまう、ということはなる。犬、猫用の、２匹繋いでも絡まないらくらくリードに関するものである。【０００３】  本発明は、犬の場合で説明すると、リードの中心から、１０ｃｍから６０ｃｍ位の長さの両側にストッパーになるような物を付けることで、手で持っているものは、固定されていないので、１匹の犬が右に行くと６０ｃｍのところでストップになり、もう１匹が左に行くと、また６０ｃｍのところでストップになる、犬の動く範囲も、広くなる、そして、２匹の犬が反対の方向へ引っ張ると、犬同士が引っ張り合うので、リードを持っている人は、２匹をつないで持っていても、力がほとんど掛からず、お散歩も、疲れないで、快適に楽しむことができる。犬、猫用の、２匹つないでも絡まないらくらくリード、に関するものである。
【背景技術】
【０００４】  現在、ペットブームで、犬でも猫でも、２匹以上飼っている方がとても増えています。私も、現在犬を２匹、猫を２匹飼っていますが、犬は、お散歩を一日に一回以上は必ずしないと、犬にとってよくないのです、天気が良いときは、一時間以上のお散歩を２回します、犬は小型ですが、１匹ずつリードを付けたのを２匹の分手に持って歩くのは、結構大変で犬は動き回り、リードは絡み前へ進むことはできず両方の手で絡まったリードをくるくる回しながらお散歩をするのです、それが、毎日何回も続くのです。【０００５】  現在、２匹用の、リードもありますが、手に持つ部分が回るようにはなっていますが、そこから、同じ長さで２本に分かれてその端には、１匹ずつのリードを、付けたりはずしたりするようなのがあります、これは、絡んだりする事はありませんが、これだと、リードを何本も必要となます、１匹のリードの長さ＋２匹用のリードの長さになってしまうためお散歩のとき、必要以上の長いリードになり、長さを調節するのに１匹用のリードが何本も必要になってしまいます、例えば、１匹ずつでお散歩をしたいときは、１匹用の長めのリード２本、そして、２匹一緒にお散歩するときは、２匹用のリード＋短いリード２本と、何本も必要になってしまいます。【０００６】  上記に、記されているいままでの、２匹引きのリードは何本も必要になるとともに、お散歩をさせている人にも、２匹分の犬の動きに合わせて犬を引く力が沢山必要になります、犬は、お散歩のとき、じっとしていません、よほど訓練をして、人にピタッと付いているのはごくまれです、以前の２匹引きは、絡むことはないけれど、１匹が右１匹は左に行ったとき２匹を持った人は、２匹を引っ張る力が必要になります、または、１匹は前に進もうとする、もう１匹はまだ立ち止まり前へ進もうとはしない、そんなとき、人は前へ行こうとする犬を引く力が必要になる、犬２匹の行動が、すべて２匹を持つ人の引く力が必要でお散歩をする人は、結構大変で疲れてしまうことが多いい。
【発明の開示】
【発明が解決しようとする課題】
【０００７】  ２匹引きでも、楽にお散歩ができるように２匹居るからこそ楽しいお散歩ができるようにしたい。
２匹一緒でも、引く力は半分以下にしたい。【０００８】  ２匹飼っていても、リードは少なくて済むようにしたい。
【課題を解決するための手段】
【０００９】  本発明は、２匹引きの形を次のようにした。
まず、一本の１ｍ〜１０ｍの長さ、この長さは、お散歩させたい犬の行動範囲内できめる、その両端に、首輪に引っ掛ける金具を取り付ける、その、中心から右左５ｃｍ〜１００ｃｍこれも、犬の行動範囲ないできめる、の所へストッパーの役割をするようなものを両方２箇所に取り付ける、この中心から５ｃｍ〜１００ｃｍの長さの部分は、犬２匹が左右動けるリードの遊びの役割をする長さ。その中心５ｃｍ〜１００ｃｍの中に手で持つ部分を回転して、付けたり外したり出来る金具を使用して取り付ける。【００１０】  本発明は、犬のお散歩の２匹引きを、引く力を半減し、楽しく楽にできて、リードを何本も、必要としないようにするために、上記に記したように、一本のリードの両側に犬の首輪をつける、そして、その中心から左右２箇所ストッパーをつけた内側に、手を持つ部分を回転できるように取り付ける、これで、リードは何本も必要なく、一本にして、中心に遊びができたことで、引く力は、半減する。【００１１】  本発明は、一本のリードで２匹の犬をお散歩させるときに、車など交通量の多い道路を歩くとき、または、人が多い商店街などの道を歩くときに、あまり長いリードのままだと、犬が車に轢かれたり、また歩いている人たちに迷惑がかからないように、短くできるように程よい長さのところに、手が入るくらいの金具か輪になるように取り付ける、お散歩時ここを持つことで２匹をつないだ長いリードが、短く持つことができて危ないところも楽にお散歩することができる。
【発明の効果】
【００１２】  本発明を、使用した場合、２匹の犬を一本のリードの両端につないで中央に１０ｃｍから１ｍの自由に動く遊びを付けたことで、犬同士の引く力を利用できるため、お散歩させる人の犬を引く力が半分以下になり、とても楽に疲れず楽しくお散歩することができる。【００１３】  本発明を、使用することで、２匹の犬の動きしだいで、長くもなり短くもなるので犬の行動範囲も広くなる。【００１４】  本発明を、使用することで、２匹の犬を飼っても何本ものリードを使わなくてすむのである。【００１５】  本発明を、使用することで、車道の端を歩くときや、商店街などの人が多いところは、２匹まとめて、短くリードを持つことができるため、安全にお散歩ができる。
【発明を実地するための最良の形態】
【００１６】  一本の長いリードの両端に、犬の首輪に引っ掛ける金具を取り付ける。
中心より左右１０ｃｍから１．５ｍのところにリードがはみ出ないようにストッパーを固定する、その、１０ｃｍから１ｍの幅を動けるように、そして、回転できる金具を付けたリードを手で持つのをとりつける。
【００１７】大型犬、中型犬、小型犬、とそれぞれの犬の高さにあわせて、首輪から短く持てる長さのところに、手を入れて握れるところを付ける。
【実地例】
【００１８】  以下、添付図面に従って実地例を説明する。
【産業上の利用可能性】
【００１９】  現在、ペットブームで犬を２匹以上飼っている人を多く見かけます。
私も、現に２匹飼っていますが、２匹引きのリードがなかなかありません、１匹用の物を結んで使ったりしていますが、長すぎたり、短すぎたりします。
本発明は、このペットブームに２匹飼っている人たちのお散歩のときに使用する必需品になります。
【図面の簡単な説明】
【００２０】
【図１】    ２匹引き用リードの全体図
【図２】    本発明を、短くして、一匹用のリードをつなげる図
【符号の説明】
【００２１】    １  手に、持つ部分
２  回転して、手に持つ部分と一本のリードをつなげる金具、取り外しができる。
３  長い、一本のリード、小型犬、中型犬、大型犬、それぞれ長さ、太さを変える。
４  手の持つ部分が、動く長さを調節するストッパー、しっかり固定する。
５  短く持つために、手を入れてリードを持つところ。
６  一本のリードの両側に固定して、回転し、取り外しができる金具。
７  １が動く範囲。
８  一匹用のリード。
９  犬の首輪。
１０  犬。
【図１】
2007130005.tif 000003
【図２】
2007130005.tif 000004